(57)【要約】      （修正有）【課題】簡便に扱える卓上用ケース兼携帯ケースを考案する。【解決手段】上蓋、下蓋ケース１，２は、両手で開けなくてもすむ様に、上蓋にある開フック３を軽く触れるだけのフェザータッチ機構とした。上蓋の開力は下蓋に内装された細い棒状コイルスプリング４で行う。上蓋の開口高は、適度な開口高に維持並びに調整できる様に、上記の棒状コイルスプリング高を手回し調整で行える様に考案した。眼鏡の左右のテンプル（つる）部は、わざわざ折り畳まず、そのまま出し入れする。【選択図】図３
0003133327.tif 000002
【実用新案登録請求の範囲】
【請求項１】
物品の構成は、上蓋ケースと下蓋ケースから成り、考案された形状、構造、寸法、状態は図１〜図４に開示する。
【請求項２】
上蓋ケースのオープンは、フェザータッチ機構にて、開フックに軽く触れるだけで開く。
【請求項３】
上蓋ケースの開力用跳ね上げ力は、下蓋ケースに内装される細い棒状コイルスプリングにて行う。
【請求項４】
上蓋の通常の開口高維持と開口高調整は、上記、棒状コイルスプリングを手回しして開口高調整を行う。
【請求項５】
上蓋ケースの、最大開口状態は、自らの形状背部が、卓上面に接した時に、直立状態で行える。
【請求項６】
ケースに収納された眼鏡の固定は、下蓋ケースに内装された、可変スライド式の鼻あて部で行う。
【考案の詳細な説明】
【技術分野】
【０００１】本考案は、卓上・机上にて頻繁に眼鏡を架けたり外したりする際に、一時的に（又は長期的に）、眼鏡を保護的に置けるようにしたものである。
併せて、簡易携帯ケースとしても使用できるように利便性の向上も図った。
【背景技術】
【０００２】従来の納品兼保管ケースはかさばり、携帯時には不向きな面があった。
又、ケースの開きが硬いことと、開いても適度な開きが維持できない。
卓上用並びに机上用で、簡単簡便に使用できる眼鏡ケースは無かった。
【考案の開示】
【考案が解決しようとする課題】
【０００３】卓上・机上で一時的に保護できるケースは無く、裸体放置状態等も多く、不意の落下時のレンズ損傷や、埃よけ等にも何ら解決手段具が無いので、卓上・机上で眼鏡を着脱する際に、眼鏡保護置きをできるケースとする。
【課題を解決するための手段】
【０００４】卓上・机上用に、及び携帯ケースとして利用できる様に形状考案をした。
本ケースサイズは、従来ケースより小型化並びにスリム化を図り、標準眼鏡サイズ用・細目タイプ用の両用に使用できる様に形状考案をした。
上蓋を開く時はフェザータッチ機構にし、上蓋の開口高は調整可能にした。
【考案の効果】
【０００５】従来には無かった新たな形状と機能を持たせることにより、卓上・机上での一時的保護置きを簡便にし、かつ不意の落下等によるレンズの損傷防止や、埃よけ等も可能とし、併せて簡易携帯ケースとしても利用できるようにした。
【実施例】
【０００６】眼鏡の頻繁な出し入れの際には、テンプル（つる）部は、折り畳まないで使用すれば、操作上簡単、簡便に扱える。【０００７】収納・携帯時には、テンプル部を折り畳んだ状態で使用する。
【図面の簡単な説明】
【０００７】
【図１】  収納時並びに携帯時の斜視図である。
【図２】  出し入れ状態の斜視図である。
【図３】  上蓋が最大に開いた斜視図である。
【図４】  寸法・展開図。
【符号の説明】
【０００８】  １      上蓋ケース
２      下蓋ケース
３      開フック
４      開力用棒状コイルスプリング
５      可変スライド式眼鏡鼻あて部
【図１】
0003133327.tif 000003
【図２】
0003133327.tif 000004
【図３】
0003133327.tif 000005
【図４】
0003133327.tif 000006
【手続補正書】
【提出日】平成18年9月17日(2006.9.17)
【手続補正１】
【補正対象書類名】実用新案登録請求の範囲
【補正対象項目名】全文
【補正方法】変更
【補正の内容】
【実用新案登録請求の範囲】
【請求項１】
卓上・机上型眼鏡ケースとして、仮置きを瞬速簡便に行える様にテンプルを折畳まずに出し入れする為に上蓋は中間開口高並びに最大開口状態が得られる２段階の状態を有する構造であり、また上蓋屋形は上蓋を閉じた時に眼鏡鼻あて部を圧迫しない様に上方噴円若しくは三角形とする形状であり、またテンプルを折畳んだ時にはテンプルの両先端をスムーズに着座させる為に上蓋屋形の手前は急峻な形状として、それらを収容する下蓋との２枚構成とする新規新型形状、構造を有することを特徴とする卓上・机上型眼鏡ケース（兼簡易型携帯眼鏡ケース）。
【請求項２】
前記ケースの上蓋ケース１の開きは開きタッチを軽くする為に考案された開フック３のフェザータッチ機構を有することを特徴とする請求項１記載の卓上・机上型眼鏡ケース。
【請求項３】
前記ケースの上蓋ケース１の開力は下蓋ケース２に内蔵された棒状コイルスプリング４の跳上げ力にて得られる構造を有することを特徴とする請求項１記載の卓上・机上型眼鏡ケース。
【請求項４】
前記ケースの上蓋ケース１の開口高維持並びにその開口高調整は下蓋ケース２に一体内蔵された棒状コイルスプリング４の高さを手回し調整で行える様に考案した構造を有することを特徴とする請求項１記載の卓上・机上型眼鏡ケース。
【請求項５】
前記ケースの上蓋ケース１の最大開口状態は、上蓋開閉軸の支点位置を下蓋ケースの底部に置き最大円開状態が得られる様に工夫考案し設けたことと、上蓋ケース１の背部形状にも工夫を考案し自らの背部形状が卓上面に接し座した時に上蓋ケース１は自らに直立状態になる背部形状を有することを特徴とする請求項１記載の卓上・机上型眼鏡ケース。
【請求項６】
前記ケースの下蓋ケース２には眼鏡を固定できる様に考案された可変スライド式眼鏡鼻あて部５の構造を有することを特徴とする請求項１記載の卓上・机上型眼鏡ケース。
【手続補正書】
【提出日】平成19年3月15日(2007.3.15)
【手続補正１】
【補正対象書類名】実用新案登録請求の範囲
【補正対象項目名】全文
【補正方法】変更
【補正の内容】
【実用新案登録請求の範囲】
【請求項１】
卓上・机上型眼鏡ケース兼簡易型携帯眼鏡ケースとして、卓上・机上型眼鏡ケースの機能としては、仮置きを瞬速簡便に行える様にテンプルを折り畳まず立てたまま出し入れする為に上蓋は中間開口高並びに最大開口状態が得られる２段階の状態を有する構造であり、また上蓋屋形は上蓋を閉じた時に眼鏡鼻あて部を圧迫しない様に上方円噴若しくは三角形とする形状であり、またテンプルを折り畳んだ時にはテンプルの両先端をスムーズに着座させる為に上蓋屋形の手前は急峻な形状として、それらを収座する下蓋との２枚組構成とする新規新型の形状、構造を有することを特徴とし、並びにそれらの形状構造が簡易型携帯眼鏡ケースとしての機能性も有しているので簡易型携帯眼鏡ケースとしての併用機能も併せ有することを特徴とする卓上・机上型眼鏡ケース兼簡易型携帯眼鏡ケース。
【請求項２】
前記ケースの上蓋ケース１の開きは開きタッチを軽くする為に従来の様に硬くて両手の指力の要る構造ではなく、考案された開フック３の片手指先一本で軽く触れて開くソフトワンタッチ機構かつ瞬時にオープンするクイックワンタンチ機構を包括させたフェザータッチ構造を有することを特徴とする請求項１記載の卓上・机上型眼鏡ケース兼簡易型携帯眼鏡ケース。
【請求項３】
前記ケースの上蓋ケース１の開力は下蓋ケース２に内蔵された棒状コイルスプリング４の跳上げ力にて得られる構造を有することを特徴とする請求項１記載の卓上・机上型眼鏡ケース兼簡易型携帯眼鏡ケース。
【請求項４】
前記ケースの上蓋ケース１の、一段目の中間開口高維持並びにその開口高調整は、下蓋ケース２に一体内蔵された棒状コイルスプリング４の高さを手回し調整で行える様に考案した構造を有することを特徴とする請求項１記載の卓上・机上型眼鏡ケース兼簡易型携帯眼鏡ケース。
【請求項５】
前記ケースの上蓋ケース１の、最大開口状態は、上蓋開閉軸の支点位置を下蓋ケースの底部に置き、最大円周開状態が得られる様に工夫考案したことと、上蓋ケース１の背部形状にも工夫考案し自らの背部形状が卓上面に接し座した時に上蓋ケース１は、自らに直立状態になれる背部形状、構造を有することを特徴とする請求項１記載の卓上・机上型眼鏡ケース兼簡易型携帯眼鏡ケース。
【請求項６】
前記ケースの下蓋ケース２には携帯時に眼鏡を安定固定に保持させる為に考案した可変スライドクリック式の眼鏡鼻あて部５の構造を有することを特徴とする請求項１記載の卓上・机上型眼鏡ケース兼簡易型携帯眼鏡ケース。